【手続補正書】
【提出日】平成25年1月25日(2013.1.25)
【手続補正１】
【補正対象書類名】明細書
【補正対象項目名】００１４
【補正方法】削除
【補正の内容】
【手続補正２】
【補正対象書類名】明細書
【補正対象項目名】００１５
【補正方法】変更
【補正の内容】
【００１５】
そして、本発明の第１の態様〜第４の態様に係る画像表示装置の駆動方法にあっては、
（ａ）第４の色を加えることで拡大されたＨＳＶ色空間における彩度Ｓを変数とした明度の最大値Ｖmax（Ｓ）を、信号処理部において求め、
（ｂ）信号処理部において、複数の画素における副画素・入力信号値に基づき、該複数の画素における彩度Ｓ及び明度Ｖ（Ｓ）を求め、
（ｃ）明度Ｖ（Ｓ）と伸長係数α0の積から求められた伸長された明度の値が最大値Ｖmax（Ｓ）を超える画素の全画素に対する割合が所定の値（β0）以下となるように伸長係数α0を決定する。
【手続補正３】
【補正対象書類名】明細書
【補正対象項目名】００１７
【補正方法】変更
【補正の内容】
【００１７】
本発明の第１の態様〜第４の態様に係る画像表示装置の駆動方法にあっては、所定の値β0として、０．００３乃至０．０５を挙げることができる。即ち、明度Ｖ（Ｓ）と伸長係数α0の積から求められた伸長された明度の値が最大値Ｖmax（Ｓ）を超える画素が、全画素に対して０．３％以上、５％以下となるように、伸長係数α0を決定する形態とすることができる。
【手続補正４】
【補正対象書類名】明細書
【補正対象項目名】００１８
【補正方法】変更
【補正の内容】
【００１８】
また、本発明の第６の態様〜第９の態様に係る画像表示装置の駆動方法にあっては、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素（本発明の第６の態様、第９の態様）あるいは画素群（本発明の第７の態様、第８の態様）を構成する第１副画素、第２副画素及び第３副画素の集合体の輝度をＢＮ1-3とし、画素（本発明の第６の態様、第９の態様）あるいは画素群（本発明の第７の態様、第８の態様）を構成する第４副画素に第４副画素・出力信号の最大信号値に相当する値を有する信号が入力されたときの第４副画素の輝度ＢＮ4としたとき、
α0＝（ＢＮ4／ＢＮ1-3）＋１
とする。尚、広くは、伸長係数α0を（ＢＮ4／ＢＮ1-3）の関数とする形態とすることができる。
【手続補正５】
【補正対象書類名】明細書
【補正対象項目名】００１９
【補正方法】変更
【補正の内容】
【００１９】
また、本発明の第１１の態様〜第１４の態様に係る画像表示装置の駆動方法にあっては、
（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β'0（例えば、具体的には、２％）を超えるとき、伸長係数α0を所定の値α'0以下（具体的には、例えば１．３以下）とする。尚、伸長係数α0の下限値は１．０である。以下の説明においても同様である。
【手続補正６】
【補正対象書類名】明細書
【補正対象項目名】００２１
【補正方法】変更
【補正の内容】
【００２１】
また、本発明の第１６の態様〜第１９の態様に係る画像表示装置の駆動方法にあっては、
（Ｒ，Ｇ，Ｂ）で定義された色が画素において表示されるとし、（Ｒ，Ｇ，Ｂ）が以下の式を満足する画素の全画素に対する割合が所定の値β'0（例えば、具体的には、２％）を超えるとき、伸長係数α0を所定の値α'0以下（例えば、具体的には、１．３以下）とする。
【手続補正７】
【補正対象書類名】明細書
【補正対象項目名】００２３
【補正方法】変更
【補正の内容】
【００２３】
また、本発明の第２１の態様〜第２４の態様に係る画像表示装置の駆動方法にあっては、黄色を表示する画素の全画素に対する割合が所定の値β'0（例えば、具体的には、２％）を超えるとき、伸長係数α0を所定の値以下（例えば、具体的には、１．３以下）とする。
【手続補正８】
【補正対象書類名】明細書
【補正対象項目名】００２４
【補正方法】変更
【補正の内容】
【００２４】
本発明に係る画像表示装置の駆動方法にあっては、第４の色を加えることで色空間（ＨＳＶ色空間）が拡大され、副画素・出力信号が、少なくとも副画素・入力信号及び伸長係数α0に基づき求められる。このように、伸長係数α0に基づき出力信号値を伸長するので、従来の技術のように、白色表示副画素の輝度は増加するが、赤色表示副画素、緑色表示副画素及び青色表示副画素の輝度は増加しないといったことがない。即ち、例えば、白色表示副画素の輝度を増加させるだけでなく、赤色表示副画素、緑色表示副画素及び青色表示副画素の輝度も増加させる。それ故、色のくすみが発生するといった問題の発生を確実に回避することができる。
【手続補正９】
【補正対象書類名】明細書
【補正対象項目名】００２５
【補正方法】変更
【補正の内容】
【００２５】
しかも、本発明の第１の態様〜第４の態様に係る画像表示装置の駆動方法にあっては、彩度Ｓを変数とした明度の最大値Ｖmax（Ｓ）が求められ、更には、複数の画素における副画素・入力信号値に基づき、これらの複数の画素における彩度Ｓ及び明度Ｖ（Ｓ）が求められ、明度Ｖ（Ｓ）と伸長係数α0の積から求められた伸長された明度の値が最大値Ｖmax（Ｓ）を超える画素の全画素に対する割合が所定の値（β0）以下となるように伸長係数α0が決定される。従って、各副画素への出力信号の最適化を図ることができ、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【手続補正１０】
【補正対象書類名】明細書
【補正対象項目名】００２６
【補正方法】変更
【補正の内容】
【００２６】
また、本発明の第６の態様〜第９の態様に係る画像表示装置の駆動方法にあっては、伸長係数α0を、
α0＝（ＢＮ4／ＢＮ1-3）＋１
とすることによって、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【手続補正１１】
【補正対象書類名】明細書
【補正対象項目名】００２７
【補正方法】変更
【補正の内容】
【００２７】
種々の試験により、画像の色に黄色が多く混在している場合、伸長係数α0が所定の値α'0（例えばα'0＝１．３）を超えると、不自然な色の画像となることが判明した。本発明の第１１の態様〜第１４の態様に係る画像表示装置の駆動方法にあっては、ＨＳＶ色空間における色相Ｈ及び彩度Ｓが所定の範囲内となる画素の全画素に対する割合が所定の値β'0（例えば、具体的には、２％）を超えるとき（云い換えれば、画像の色に黄色が多く混在しているとき）、伸長係数α0を所定の値α'0以下（例えば、具体的には、１．３以下）とする。これによって、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【手続補正１２】
【補正対象書類名】明細書
【補正対象項目名】００２８
【補正方法】変更
【補正の内容】
【００２８】
また、本発明の第１６の態様〜第１９の態様に係る画像表示装置の駆動方法にあっては、（Ｒ，Ｇ，Ｂ）として特定の値を有する画素の全画素に対する割合が所定の値β'0（例えば、具体的には、２％）を超えるとき（云い換えれば、画像の色に黄色が多く混在しているとき）、伸長係数α0を所定の値α'0以下（例えば、具体的には、１．３以下）とする。これによっても、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。しかも、画像の色に黄色が多く混在しているか否かを少ない計算量で判定することができ、信号処理部の回路規模を縮小化することができるし、計算時間の短縮化を図ることができる。
【手続補正１３】
【補正対象書類名】明細書
【補正対象項目名】００２９
【補正方法】変更
【補正の内容】
【００２９】
また、本発明の第２１の態様〜第２４の態様に係る画像表示装置の駆動方法にあっては、黄色を表示する画素の全画素に対する割合が所定の値β'0（例えば、具体的には、２％）を超えるとき、伸長係数α0を所定の値以下（例えば、具体的には、１．３以下）とする。これによっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【手続補正１４】
【補正対象書類名】明細書
【補正対象項目名】００３３
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素・出力信号を、第１副画素・入力信号、第２副画素・入力信号及び第３副画素・入力信号に基づき求め、第４副画素へ出力する画像表示装置の駆動方法であって、
（ａ）第４の色を加えることで拡大されたＨＳＶ色空間における彩度Ｓを変数とした明度の最大値Ｖmax（Ｓ）を、信号処理部において求め、
（ｂ）信号処理部において、複数の画素における副画素・入力信号値に基づき、該複数の画素における彩度Ｓ及び明度Ｖ（Ｓ）を求め、
（ｃ）明度Ｖ（Ｓ）と伸長係数α0の積から求められた伸長された明度の値が最大値Ｖmax（Ｓ）を超える画素の全画素に対する割合が所定の値（β0）以下となるように伸長係数α0を決定する画像表示装置の駆動方法。
ここで、彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項２】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素に関して、第４副画素・出力信号を、第１の画素への第１副画素・入力信号、第２副画素・入力信号及び第３副画素・入力信号から求められた第４副画素・制御第１信号、並びに、第２の画素への第１副画素・入力信号、第２副画素・入力信号及び第３副画素・入力信号から求められた第４副画素・制御第２信号に基づき求め、第４副画素へ出力する画像表示装置の駆動方法であって、
（ａ）第４の色を加えることで拡大されたＨＳＶ色空間における彩度Ｓを変数とした明度の最大値Ｖmax（Ｓ）を、信号処理部において求め、
（ｂ）信号処理部において、複数の画素における副画素・入力信号値に基づき、該複数の画素における彩度Ｓ及び明度Ｖ（Ｓ）を求め、
（ｃ）明度Ｖ（Ｓ）と伸長係数α0の積から求められた伸長された明度の値が最大値Ｖmax（Ｓ）を超える画素の全画素に対する割合が所定の値（β0）以下となるように伸長係数α0を決定する画像表示装置の駆動方法。
ここで、彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項３】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の方向に沿って数えたときの第（ｐ，ｑ）番目［但し、ｐ＝１，２・・・Ｐであり、ｑ＝１，２・・・Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第（ｐ，ｑ）番目の第１の画素の第３副画素へ出力し、
第（ｐ，ｑ）番目の第２の画素への第４副画素・出力信号を、第（ｐ，ｑ）番目の第２の画素への第１副画素・入力信号、第２副画素・入力信号及び第３副画素・入力信号から求められた第４副画素・制御第２信号、並びに、第１の方向に沿って第（ｐ，ｑ）番目の第２の画素に隣接した隣接画素への第１副画素・入力信号、第２副画素・入力信号及び第３副画素・入力信号から求められた第４副画素・制御第１信号に基づき求め、第（ｐ，ｑ）番目の第２の画素の第４副画素へ出力する画像表示装置の駆動方法であって、
（ａ）第４の色を加えることで拡大されたＨＳＶ色空間における彩度Ｓを変数とした明度の最大値Ｖmax（Ｓ）を、信号処理部において求め、
（ｂ）信号処理部において、複数の画素における副画素・入力信号値に基づき、該複数の画素における彩度Ｓ及び明度Ｖ（Ｓ）を求め、
（ｃ）明度Ｖ（Ｓ）と伸長係数α0の積から求められた伸長された明度の値が最大値Ｖmax（Ｓ）を超える画素の全画素に対する割合が所定の値（β0）以下となるように伸長係数α0を決定する画像表示装置の駆動方法。
ここで、彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項４】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の方向に沿って数えたときの第（ｐ，ｑ）番目［但し、ｐ＝１，２・・・Ｐ0であり、ｑ＝１，２・・・Ｑ0である］の画素への第４副画素・出力信号を、第（ｐ，ｑ）番目の画素への第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素への第１副画素・入力信号、第２副画素・入力信号及び第３副画素・入力信号から求められた第４副画素・制御第１信号に基づき求め、第（ｐ，ｑ）番目の画素の第４副画素へ出力する画像表示装置の駆動方法であって、
（ａ）第４の色を加えることで拡大されたＨＳＶ色空間における彩度Ｓを変数とした明度の最大値Ｖmax（Ｓ）を、信号処理部において求め、
（ｂ）信号処理部において、複数の画素における副画素・入力信号値に基づき、該複数の画素における彩度Ｓ及び明度Ｖ（Ｓ）を求め、
（ｃ）明度Ｖ（Ｓ）と伸長係数α0の積から求められた伸長された明度の値が最大値Ｖmax（Ｓ）を超える画素の全画素に対する割合が所定の値（β0）以下となるように伸長係数α0を決定する画像表示装置の駆動方法。
ここで、
彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項５】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素・出力信号を、第１副画素・入力信号、第２副画素・入力信号及び第３副画素・入力信号に基づき求め、第４副画素へ出力する画像表示装置の駆動方法であって、
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素を構成する第１副画素、第２副画素及び第３副画素の集合体の輝度をＢＮ1-3とし、画素を構成する第４副画素に第４副画素・出力信号の最大信号値に相当する値を有する信号が入力されたときの第４副画素の輝度ＢＮ4としたとき、α0＝（ＢＮ4／ＢＮ1-3）＋１
とする画像表示装置の駆動方法。
【請求項６】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素に関して、第４副画素・出力信号を、第１の画素への第１副画素・入力信号、第２副画素・入力信号及び第３副画素・入力信号から求められた第４副画素・制御第１信号、並びに、第２の画素への第１副画素・入力信号、第２副画素・入力信号及び第３副画素・入力信号から求められた第４副画素・制御第２信号に基づき求め、第４副画素へ出力する画像表示装置の駆動方法であって、
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素群を構成する第１副画素、第２副画素及び第３副画素の集合体の輝度をＢＮ1-3とし、画素群を構成する第４副画素に第４副画素・出力信号の最大信号値に相当する値を有する信号が入力されたときの第４副画素の輝度ＢＮ4としたとき、α0＝（ＢＮ4／ＢＮ1-3）＋１
とする画像表示装置の駆動方法。
【請求項７】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の方向に沿って数えたときの第（ｐ，ｑ）番目［但し、ｐ＝１，２・・・Ｐであり、ｑ＝１，２・・・Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第（ｐ，ｑ）番目の第１の画素の第３副画素へ出力し、
第（ｐ，ｑ）番目の第２の画素への第４副画素・出力信号を、第（ｐ，ｑ）番目の第２の画素への第１副画素・入力信号、第２副画素・入力信号及び第３副画素・入力信号から求められた第４副画素・制御第２信号、並びに、第１の方向に沿って第（ｐ，ｑ）番目の第２の画素に隣接した隣接画素への第１副画素・入力信号、第２副画素・入力信号及び第３副画素・入力信号から求められた第４副画素・制御第１信号に基づき求め、第（ｐ，ｑ）番目の第２の画素の第４副画素へ出力する画像表示装置の駆動方法であって、
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素群を構成する第１副画素、第２副画素及び第３副画素の集合体の輝度をＢＮ1-3とし、画素群を構成する第４副画素に第４副画素・出力信号の最大信号値に相当する値を有する信号が入力されたときの第４副画素の輝度ＢＮ4としたとき、α0＝（ＢＮ4／ＢＮ1-3）＋１
とする画像表示装置の駆動方法。
【請求項８】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の方向に沿って数えたときの第（ｐ，ｑ）番目［但し、ｐ＝１，２・・・Ｐ0であり、ｑ＝１，２・・・Ｑ0である］の画素への第４副画素・出力信号を、第（ｐ，ｑ）番目の画素への第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素への第１副画素・入力信号、第２副画素・入力信号及び第３副画素・入力信号から求められた第４副画素・制御第１信号に基づき求め、第（ｐ，ｑ）番目の画素の第４副画素へ出力する画像表示装置の駆動方法であって、
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素を構成する第１副画素、第２副画素及び第３副画素の集合体の輝度をＢＮ1-3とし、画素を構成する第４副画素に第４副画素・出力信号の最大信号値に相当する値を有する信号が入力されたときの第４副画素の輝度ＢＮ4としたとき、α0＝（ＢＮ4／ＢＮ1-3）＋１
とする画像表示装置の駆動方法。
【請求項９】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素・出力信号を、第１副画素・入力信号、第２副画素・入力信号及び第３副画素・入力信号に基づき求め、第４副画素へ出力する画像表示装置の駆動方法であって、
（Ｒ，Ｇ，Ｂ）で定義された色が画素において表示されるとし、ＨＳＶ色空間における色相Ｈ及び彩度Ｓが以下の式で定義され、４０≦Ｈ≦６５０．５≦Ｓ≦１．０の範囲となる画素の全画素に対する割合が所定の値β'0を超えるとき、伸長係数α0を所定の値以下とする画像表示装置の駆動方法。
ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘであり、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項１０】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素に関して、第４副画素・出力信号を、第１の画素への第１副画素・入力信号、第２副画素・入力信号及び第３副画素・入力信号から求められた第４副画素・制御第１信号、並びに、第２の画素への第１副画素・入力信号、第２副画素・入力信号及び第３副画素・入力信号から求められた第４副画素・制御第２信号に基づき求め、第４副画素へ出力する画像表示装置の駆動方法であって、
（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β'0を超えるとき、伸長係数α0を所定の値以下とする画像表示装置の駆動方法。
ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘ
であり、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項１１】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の方向に沿って数えたときの第（ｐ，ｑ）番目［但し、ｐ＝１，２・・・Ｐであり、ｑ＝１，２・・・Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第（ｐ，ｑ）番目の第１の画素の第３副画素へ出力し、
第（ｐ，ｑ）番目の第２の画素への第４副画素・出力信号を、第（ｐ，ｑ）番目の第２の画素への第１副画素・入力信号、第２副画素・入力信号及び第３副画素・入力信号から求められた第４副画素・制御第２信号、並びに、第１の方向に沿って第（ｐ，ｑ）番目の第２の画素に隣接した隣接画素への第１副画素・入力信号、第２副画素・入力信号及び第３副画素・入力信号から求められた第４副画素・制御第１信号に基づき求め、第（ｐ，ｑ）番目の第２の画素の第４副画素へ出力する画像表示装置の駆動方法であって、
（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β'0を超えるとき、伸長係数α0を所定の値以下とする画像表示装置の駆動方法。
ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘ
であり、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項１２】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の方向に沿って数えたときの第（ｐ，ｑ）番目［但し、ｐ＝１，２・・・Ｐ0であり、ｑ＝１，２・・・Ｑ0である］の画素への第４副画素・出力信号を、第（ｐ，ｑ）番目の画素への第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素への第１副画素・入力信号、第２副画素・入力信号及び第３副画素・入力信号から求められた第４副画素・制御第１信号に基づき求め、第（ｐ，ｑ）番目の画素の第４副画素へ出力する画像表示装置の駆動方法であって、
（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β'0を超えるとき、伸長係数α0を所定の値以下とする画像表示装置の駆動方法。
ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘ
であり、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。
【請求項１３】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素・出力信号を、第１副画素・入力信号、第２副画素・入力信号及び第３副画素・入力信号に基づき求め、第４副画素へ出力する画像表示装置の駆動方法であって、
（Ｒ，Ｇ，Ｂ）で定義された色が画素において表示されるとし、（Ｒ，Ｇ，Ｂ）が以下の式を満足する画素の全画素に対する割合が所定の値β'0を超えるとき、伸長係数α0を所定の値以下とする画像表示装置の駆動方法。
ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき。あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき。但し、ｎは表示階調ビット数である。
【請求項１４】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素に関して、第４副画素・出力信号を、第１の画素への第１副画素・入力信号、第２副画素・入力信号及び第３副画素・入力信号から求められた第４副画素・制御第１信号、並びに、第２の画素への第１副画素・入力信号、第２副画素・入力信号及び第３副画素・入力信号から求められた第４副画素・制御第２信号に基づき求め、第４副画素へ出力する画像表示装置の駆動方法であって、
（Ｒ，Ｇ，Ｂ）で定義された色が画素において表示されるとし、（Ｒ，Ｇ，Ｂ）が以下の式を満足する画素の全画素に対する割合が所定の値β'0を超えるとき、伸長係数α0を所定の値以下とする画像表示装置の駆動方法。
ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき。あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき。但し、ｎは表示階調ビット数である。
【請求項１５】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の方向に沿って数えたときの第（ｐ，ｑ）番目［但し、ｐ＝１，２・・・Ｐであり、ｑ＝１，２・・・Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第（ｐ，ｑ）番目の第１の画素の第３副画素へ出力し、
第（ｐ，ｑ）番目の第２の画素への第４副画素・出力信号を、第（ｐ，ｑ）番目の第２の画素への第１副画素・入力信号、第２副画素・入力信号及び第３副画素・入力信号から求められた第４副画素・制御第２信号、並びに、第１の方向に沿って第（ｐ，ｑ）番目の第２の画素に隣接した隣接画素への第１副画素・入力信号、第２副画素・入力信号及び第３副画素・入力信号から求められた第４副画素・制御第１信号に基づき求め、第（ｐ，ｑ）番目の第２の画素の第４副画素へ出力する画像表示装置の駆動方法であって、
（Ｒ，Ｇ，Ｂ）で定義された色が画素において表示されるとし、（Ｒ，Ｇ，Ｂ）が以下の式を満足する画素の全画素に対する割合が所定の値β'0を超えるとき、伸長係数α0を所定の値以下とする画像表示装置の駆動方法。
ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき。あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき。但し、ｎは表示階調ビット数である。
【請求項１６】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の方向に沿って数えたときの第（ｐ，ｑ）番目［但し、ｐ＝１，２・・・Ｐ0であり、ｑ＝１，２・・・Ｑ0である］の画素への第４副画素・出力信号を、第（ｐ，ｑ）番目の画素への第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素への第１副画素・入力信号、第２副画素・入力信号及び第３副画素・入力信号から求められた第４副画素・制御第１信号に基づき求め、第（ｐ，ｑ）番目の画素の第４副画素へ出力する画像表示装置の駆動方法であって、
（Ｒ，Ｇ，Ｂ）で定義された色が画素において表示されるとし、（Ｒ，Ｇ，Ｂ）が以下の式を満足する画素の全画素に対する割合が所定の値β'0を超えるとき、伸長係数α0を所定の値以下とする画像表示装置の駆動方法。
ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき。あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき。但し、ｎは表示階調ビット数である。
【請求項１７】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素・出力信号を、第１副画素・入力信号、第２副画素・入力信号及び第３副画素・入力信号に基づき求め、第４副画素へ出力する画像表示装置の駆動方法であって、
黄色を表示する画素の全画素に対する割合が所定の値β'0を超えるとき、伸長係数α0を所定の値以下とする画像表示装置の駆動方法。
【請求項１８】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第４副画素に関して、第４副画素・出力信号を、第１の画素への第１副画素・入力信号、第２副画素・入力信号及び第３副画素・入力信号から求められた第４副画素・制御第１信号、並びに、第２の画素への第１副画素・入力信号、第２副画素・入力信号及び第３副画素・入力信号から求められた第４副画素・制御第２信号に基づき求め、第４副画素へ出力する画像表示装置の駆動方法であって、
黄色を表示する画素の全画素に対する割合が所定の値β'0を超えるとき、伸長係数α0を所定の値以下とする画像表示装置の駆動方法。
【請求項１９】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の方向に沿って数えたときの第（ｐ，ｑ）番目［但し、ｐ＝１，２・・・Ｐであり、ｑ＝１，２・・・Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第（ｐ，ｑ）番目の第１の画素の第３副画素へ出力し、
第（ｐ，ｑ）番目の第２の画素への第４副画素・出力信号を、第（ｐ，ｑ）番目の第２の画素への第１副画素・入力信号、第２副画素・入力信号及び第３副画素・入力信号から求められた第４副画素・制御第２信号、並びに、第１の方向に沿って第（ｐ，ｑ）番目の第２の画素に隣接した隣接画素への第１副画素・入力信号、第２副画素・入力信号及び第３副画素・入力信号から求められた第４副画素・制御第１信号に基づき求め、第（ｐ，ｑ）番目の第２の画素の第４副画素へ出力する画像表示装置の駆動方法であって、
黄色を表示する画素の全画素に対する割合が所定の値β'0を超えるとき、伸長係数α0を所定の値以下とする画像表示装置の駆動方法。
【請求項２０】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第３副画素・出力信号を、少なくとも第３副画素・入力信号及び伸長係数α0に基づき求め、第３副画素へ出力し、
第２の方向に沿って数えたときの第（ｐ，ｑ）番目［但し、ｐ＝１，２・・・Ｐ0であり、ｑ＝１，２・・・Ｑ0である］の画素への第４副画素・出力信号を、第（ｐ，ｑ）番目の画素への第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素への第１副画素・入力信号、第２副画素・入力信号及び第３副画素・入力信号から求められた第４副画素・制御第１信号に基づき求め、第（ｐ，ｑ）番目の画素の第４副画素へ出力する画像表示装置の駆動方法であって、
黄色を表示する画素の全画素に対する割合が所定の値β'0を超えるとき、伸長係数α0を所定の値以下とする画像表示装置の駆動方法。